(57)【特許請求の範囲】
【請求項１】
手で握って保持できるトーチホルダー部と、
前記トーチホルダー部に結合されたトーチ本体と、
前記トーチホルダー部に結合されたトーチケーブルとを備えた溶接用トーチであって、
前記トーチホルダー部と前記トーチ本体を結合する締結部材の一部が外部から見える位置と寸法の少なくとも１つの孔が前記トーチホルダー部に設けられており、
前記孔に締結部材を締めこむあるいは緩めるための工具が挿通されていない状態で、前記孔の少なくとも一つに着脱自在に取り付けられる絶縁部材を有し、
前記絶縁部材は、一方が前記トーチホルダー部に連結され他方が前記絶縁部材に連結された連結部材により前記トーチホルダー部に保持される溶接用トーチ。
【請求項２】
トーチホルダー部の下端側には溶接を開始するためのスイッチを操作するスイッチレバーが設けられており、連結部材を前記トーチホルダー部に連結させる位置を、絶縁部材を取り付ける孔よりも前記トーチホルダー部の上端側とし、前記絶縁部材を前記トーチホルダー部の上端側方向に取り外し可能とした請求項１記載の溶接用トーチ。
【請求項３】
絶縁部材は弾性体であり、前記絶縁部材は前記絶縁部材を取り付ける孔の形状に対して一部を切り欠いた形状であり、前記絶縁部材を前記孔に取り付けた際に前記絶縁部材と前記孔の内面との間に空間を有する請求項１または２記載の溶接用トーチ。
【請求項４】
絶縁部材と連結部材は樹脂からなり、前記絶縁部材と前記連結部材とを一体成型して一体とした請求項１から３のいずれか１項に記載の溶接用トーチ。
【請求項５】
トーチホルダー部とトーチ本体とを結合するための締結部材は頭部とねじ部を有するボルトであり、前記ボルトは前記トーチホルダー内部に位置し、前記ボルトの頭部の外形は前記孔の内径より大きい請求項１から４のいずれか１項に記載の溶接用トーチ。
【請求項６】
トーチホルダー部には、連結部材の外形に合わせてざぐりが設けられており、前記連結部材を前記トーチホルダーに取り付けた際、前記連結部材が前記トーチホルダー部の表面に対して沈み込む構造となる請求項１から５のいずれか１項に記載の溶接用トーチ。
【発明の詳細な説明】
【技術分野】
【０００１】
本発明は、主に、手で握って溶接を行うための溶接用トーチに関するものである。
【背景技術】
【０００２】
従来のこの種の溶接用トーチ１０１の例としては、図６に示すように、操作者が片手で握って保持できるトーチホルダー部１０２と、このトーチホルダー部１０２に保持されたトーチ本体１０３と、このトーチホルダー部１０２に保持されたトーチケーブル１０４とを有しているものが知られている（例えば、特許文献１参照）。なお、トーチホルダー部１０２は例えば２分割されており、トーチホルダー部１０２の２分割された各々の少なくとも一方には、２分割されたトーチホルダー部１０２を結合するための締結部材１０５を通すための孔１０６が設けられている。また、トーチ本体１０３とトーチホルダー部１０２とを結合するための締結部材１０７を通すための孔１０８が設けられているのが一般的である。
【特許文献１】実用新案登録第３０３４９６２号公報
【発明の開示】
【発明が解決しようとする課題】
【０００３】
溶接用トーチにおいて、締結部材１０５を孔１０６に通して２分割されたトーチホルダー部１０２を結合する場合や、締結部材１０７でトーチ本体１０３とトーチホルダー部１０２とを結合する場合、仮に、締結部材１０５や締結部材１０７が導電性を有するものであり、この締結部材１０５や締結部材１０７の一部が溶接用トーチ１０１の充電部に接した状態になると、締結部材１０５や締結部材１０７も充電部となる場合が生じてしまう。
【０００４】
本発明は、分割されたトーチホルダー部やトーチ本体を締結部材により連結した後に、締結部材を緩めるあるいは締めるための工具を通すための孔に絶縁部材を着脱自在に取り付け、この絶縁部材は、取り付けた状態および取り外した状態においてトーチホルダー部に保持される構成とした溶接用トーチを提供することを目的とする。
【課題を解決するための手段】
【０００５】
上記課題を解決するために、本願発明の溶接用トーチは、手で握って保持できるトーチホルダー部と、前記トーチホルダー部に結合されたトーチ本体と、前記トーチホルダー部に結合されたトーチケーブルとを備えた溶接用トーチであって、前記トーチホルダー部と前記トーチ本体を結合する締結部材の一部が外部から見える位置と寸法の少なくとも１つの孔が前記トーチホルダー部に設けられており、前記孔に締結部材を締めこむあるいは緩めるための工具が挿通されていない状態で、前記孔の少なくとも一つに着脱自在に取り付けられる絶縁部材を有し、前記絶縁部材は、一方が前記トーチホルダー部に連結され他方が前記絶縁部材に連結された連結部材により前記トーチホルダー部に保持されるものである。
【０００６】
また、本願発明の溶接用トーチは、上記に加えて、トーチホルダー部の下端側には溶接を開始するためのスイッチを操作するスイッチレバーが設けられており、連結部材を前記トーチホルダー部に連結させる位置を、絶縁部材を取り付ける孔よりも前記トーチホルダー部の上端側とし、前記絶縁部材を前記トーチホルダー部の上端側方向に取り外し可能としたものである。
【０００７】
また、本願発明の溶接用トーチは、上記に加えて、絶縁部材は弾性体であり、前記絶縁部材は前記絶縁部材を取り付ける孔の形状に対して一部を切り欠いた形状であり、前記絶縁部材を前記孔に取り付けた際に前記絶縁部材と前記孔の内面との間に空間を有するものである。
【０００８】
また、本願発明の溶接用トーチは、上記に加えて、絶縁部材と連結部材は樹脂からなり、前記絶縁部材と前記連結部材とを一体成型して一体としたものである。
【０００９】
また、本願発明の溶接用トーチは、上記に加えて、トーチホルダー部とトーチ本体とを結合するための締結部材は頭部とねじ部を有するボルトであり、前記ボルトは前記トーチホルダー内部に位置し、前記ボルトの頭部の外形は前記孔の内径より大きいものである。
【発明の効果】
【００１０】
以上のように、本発明は、各構成部材を締結部材により結合して溶接用トーチを構成した際に、締結部材が導電性を有しておりこの締結部材の一部が溶接用トーチのうちの充電部に接した状態になると締結部材も充電部となる場合が生じてしまうが、締結部材を締めこむあるいは緩めるための工具を通す孔に絶縁部材を設けることにより充電部に対する保護が可能となる。
【００１１】
また、溶接用トーチのメンテナンス等の際に締結部材を取り外す、あるいは、緩める必要が生じ、この場合には絶縁部材を取り外す必要があるが、絶縁部材は連結部材によりトーチホルダー部に連結されて保持されているので、絶縁部材を取り外した際に絶縁部材を紛失してしまうといったことを防ぐことができる。
【００１２】
また、絶縁部材を取り外す際、絶縁部材の形状が絶縁部材を取り付ける孔の形状に対し一部を切り欠いた形状となっているので、絶縁部材と孔との間の隙間に細い棒状物を差し込む等して絶縁部材を孔から取り除くことが可能となり、容易に絶縁部材を取り外すことができる。
【発明を実施するための最良の形態】
【００１３】
以下、本発明を実施するための最良の形態について、図１から図５を用いて説明する。
【００１４】
（実施の形態１）
図１は本実施の形態における溶接用トーチの概略構成を示す図であり、後述する絶縁部材１０および連結部材１１を取り除いた場合の例を示している。図１の溶接用トーチ１は、操作者が手で握って保持できるトーチホルダー部２と、トーチホルダー部２に取り付けられたトーチ本体３と、トーチホルダー部２に取り付けられたトーチケーブル４を備えている。
【００１５】
なお、トーチホルダー部２の下端側には溶接を開始するためのスイッチを操作するスイッチレバー５が設けられている。また、トーチホルダー部２は長手方向に２分割された２つの部材を結合して構成されており、トーチホルダー部２の分割された１つの部材には、２つに分割されたトーチホルダー部２を１つに結合するための締結部材としてのビス６を通すための孔７と、トーチ本体３とトーチホルダー部２とを結合するための締結部材としてのボルト８を緩めるあるいは締めるための工具を通すための孔９が設けられている。ここで、ビス６により２つに分割されたトーチホルダー部２を１つに結合する例としては、このビス６と螺合するナット（図示せず）を用いる方法や、トーチホルダー部２の分割された１つの部材のうち孔７を設けていない方の部材にビス６が螺合するねじ孔（図示せず）を設けて螺合させる方法等が挙げられる。
【００１６】
また、トーチホルダー部２の内部には、一端側がトーチケブーブル４に接続され、他端側はトーチ本体３の一部を内包可能な金属製で中空の筒状のコネクタ（図示せず）が配置される構造となっている。そして、このコネクタには２つのねじ孔（図示せず）が設けられており、この２つのねじ孔の両方にボルト８を締結させてボルト８を締めこんでいくと、コネクタの外形が縮まる方向に力が働く。従って、このコネクタの他端側からコネクタの内部へトーチ本体３の一部を挿入し、その状態でボルト８を締結するとコネクタとトーチ本体３とが連結されることとなる。なお、このコネクタは、長手方向に２分割されたトーチホルダー部２の２つの部材を結合することでトーチホルダー部２内に保持されるものである。また、ボルト８を予めコネクタのねじ孔の少なくとも１つに締結した状態とし、その状態で２分割されたトーチホルダー部２の２つの部材を結合する。これにより、ボルト８は孔９よりもトーチホルダー部２の内側に配置される。そして、ボルト９の頭部の外形は孔９の内径より大きく、ボルト８の頭部を孔９を通して外部から見ることができる。
【００１７】
また、ボルト８は頭部とねじ部とからなり、孔９では、ボルト８を締め付けた際に、孔９の内面とボルト８の頭部の端面とにより凹形状の空間を有する構成となる。そして、この孔９の凹形状の空間には、図２や図３に示すように、絶縁部材１０が着脱自在に取り付けられる。図２は絶縁部材１０を孔９に取り付けた状態を示しており、図３は絶縁部材１０を孔９から取り外した状態を示している。
【００１８】
なお、図２や図３に示すように、絶縁部材１０は連結部材１１によりトーチホルダー部２に保持される構成となっている。すなわち、連結部材１１の一方は絶縁部材１０に連結されており、他方はフランジ構造状の突起１２を有しており、この突起１２を図１に示すトーチホルダー部２に設けた連結部材固定用孔１３に差し込むことによってトーチホルダー部２に連結される。絶縁部材１０と連結部材１１と突起１２の一例を図４に示す。そして、このように連結部材１１の一方にフランジ構造状（茸状）の突起１２を持たせることにより、トーチホルダー部２に設けた連結部材固定用孔１３からは容易には抜けない構造となる。
【００１９】
また、トーチホルダー部２には、図１に示すように連結部材１１の外形に合わせてざぐり１５が設けられており、連結部材１１をトーチホルダー部２に取り付けた際、図２に示すように連結部材１１がトーチホルダー部２の表面に対して沈み込む構造となっている。そして、このような沈み込み構造とすることで、絶縁部材１０をトーチホルダー部２の孔９から取り外した際、連結部材１１がトーチホルダー部２の連結部材固定用孔１３を中心に回転することがなく、再度絶縁部材１０をトーチホルダー部２の孔９に取り付ける際、容易にトーチホルダー部２に設けた孔９に絶縁部材１０を差し込むことができる。
【００２０】
そして、上記のような構成とすることで、ボルト８を締め付けてトーチホルダー部２とトーチ本体３を結合した場合、仮に、ボルト８が導電性を有しておりこのボルト８の一部がトーチ本体３の充電部と接した状態になると、ボルト８も充電部となる場合が生じてしまうが、絶縁部材１０により保護が可能となる。
【００２１】
また、上述したように、ボルト８は孔９よりもトーチホルダー部２の内側に配置されており、孔９の内径はボルト８の頭部の外形より小さくしている。従って、これによっても、ボルト８が充電部となる場合に触れ難くして安全性を高めるとともに、孔９に絶縁部材１０を取り付けることでより安全性を高めることができる。図５にトーチホルダー部２と、孔９と、ボルト８と、絶縁部材１０の位置関係の概要を示す要部断面図を示す。
【００２２】
また、溶接用トーチ１のメンテナンス等の際にボルト８を緩める必要が生じ、この場合には絶縁部材１０を孔９から取り外す必要があるが、絶縁部材１０は連結部材１１によりトーチホルダー部２に、より詳しくはトーチホルダー部２の２分割された部材の一方に連結されて保持されているので、絶縁部材１０を孔９から取り外した際に絶縁部材１０を紛失してしまうといったことを防ぐことができる。
【００２３】
また、本実施の形態の溶接用トーチによれば、図２や図３に示すように、連結部材１１をトーチホルダー部２に連結させる位置を、絶縁部材１０を取り付ける孔９よりもトーチホルダー部２の上端側とし、絶縁部材１０をトーチホルダー部２の上端側方向に向けて取り外し可能としている。
【００２４】
このような構成とすることで、絶縁部材１０をトーチホルダー部２の孔９から取り外す際、絶縁部材１０と孔９との隙間に細い棒状物を差込み、こじて絶縁部材１０を取り外すが、トーチホルダー部２の上下を逆に持ち替えることなく、溶接を行う状態である正規の握り位置において手を添えたまま反対側の手で人間工学的に手首が回りやすい方向にこじることが可能となる。
【００２５】
また、絶縁部材１０をトーチホルダー部２の孔９から取り外した後においても、トーチホルダー部２に添えている手の親指で絶縁部材１０をトーチホルダー２に押付け保持することができ、トーチ本体３とトーチホルダー部２とを結合するための締結部材８に対し絶縁部材１０を干渉させることなく、締め緩め工具（図示せず）を孔９に通して使用することができる。
【００２６】
なお、絶縁部材１０を弾性体とし、この絶縁部材１０は、孔９に取り付けた際にこの孔９の形状に対して一部を切り欠いた形状、すなわち切り欠き部１４を設けることが望ましい。このようにすることで、絶縁部材１０を孔９に取り付けた際に絶縁部材１０と孔９の内面との間に空間を有することとなり、この空間に棒状体を差し込んでこじることが可能となり、絶縁部材１０を孔９から取り外す際に取り外し易くすることができる。
【００２７】
また、絶縁部材１０と連結部材１１と突起１２をゴム、軟質プラスチック等の樹脂で構成し、絶縁部材１０と連結部材１１と突起１２とを一体成型して一体としても良い。このようにすることで部品点数の削減や低価格化を実現することができる。
【００２８】
なお、本実施の形態では、ボルト８が充電部となる場合の保護について説明したが、例えば、ビス６が溶接用トーチ１の充電部に触れて充電部となる場合には、ボルト８の場合と同様に、ビス６を通すための孔７に絶縁部材１０を取り付ける構成としてもよい。
【００２９】
また、絶縁部材１０は１つの孔に取り付けることに限るものではなく、必要に応じて複数の孔に取り付けるようにしても良い。
【産業上の利用可能性】
【００３０】
本発明の溶接用トーチは、各構成部材を結合して溶接用トーチを構成した際に、締結部材が導電性を有しておりこの締結部材の一部が溶接用トーチの充電部に接した状態になると、締結部材も充電部となる場合が生じてしまうが、絶縁部材により保護可能となり、また、溶接用トーチのメンテナンス等の際に締結部材を取り外すまたは緩める必要が生じ、この場合には絶縁部材を取り外す必要があるが、絶縁部材は連結部材によりトーチホルダー部に連結されて保持されているので、絶縁部材を取り外した際に絶縁部材を紛失してしまうといったことを防ぐことができ、特に手に持って溶接を行うための溶接用トーチ等として産業上有用である。
【図面の簡単な説明】
【００３１】
【図１】本発明の実施の形態における溶接用トーチにおいて絶縁部材と連結部材を取り除いた状態の概略構成を示す図
【図２】本発明の実施の形態における溶接用トーチの概略構成を示す図
【図３】本発明の実施の形態における溶接用トーチの孔から絶縁部材を取り外した状態の概略構成を示す図
【図４】本発明の実施の形態における絶縁部材と連結部材と突起の一例を示す図
【図５】本発明の実施の形態におけるトーチホルダー部と絶縁部材と孔とボルトの位置関係を示す要部断面図
【図６】従来の溶接用トーチの概略構成を示す図
【符号の説明】
【００３２】
１  溶接用トーチ
２  トーチホルダー部
３  トーチ本体
４  トーチケーブル
５  スイッチレバー
６  締結部材
７  孔
８  締結部材
９  孔
１０  絶縁部材
１１  連結部材
１２  突起
１３  連結部材固定用孔
１４  切り欠き部
１５  ざぐり
１０１  溶接トーチ
１０２  トーチホルダー部
１０３  トーチ本体
１０４  トーチケーブル
１０５  締結部材
１０６  孔
１０７  締結部材
１０８  孔
【図１】
0004900080.tif 000002
【図２】
0004900080.tif 000003
【図３】
0004900080.tif 000004
【図４】
0004900080.tif 000005
【図５】
0004900080.tif 000006
【図６】
0004900080.tif 000007